(57)【特許請求の範囲】
【請求項１】
屋内の環境情報を測定する環境測定システムであって、該環境測定システムは、
屋内の位置を検出するための位置情報を発信する屋内位置情報発信部からの位置情報を受信する位置情報受信部と、
前記位置情報受信部により受信される位置情報に基づく位置の周囲のエリアの環境情報を測定する環境センサと、
前記位置情報受信部により受信される位置情報と、環境センサにより測定される環境情報とが関連付けられる環境データを生成する環境データ生成部と、
屋内位置情報発信部から送信される位置情報よりも転送距離が短い無線信号を送信する短距離無線信号送信部と、
前記環境センサ近傍に配置され、短距離無線信号送信部から送信される無線信号を受信する短距離無線信号受信部と、を具備し、
短距離無線信号送信部及び短距離無線信号受信部は、位置情報受信部により受信される位置情報に基づく位置の周囲のエリアを、短距離無線信号の転送距離内に制限するように用いられ、
前記環境センサは、短距離無線信号送信部から送信される無線信号を短距離無線信号受信部が受信するのに応じて、環境情報を測定する、
ことを特徴とする環境測定システム。
【請求項２】
請求項１に記載の環境測定システムであって、さらに、環境データ生成部により生成される環境データをネットワークに送信する環境データ送信部と、
環境データ送信部により送信される環境データを、ネットワークを介して受信し記憶するデータ記憶部と、
を具備することを特徴とする環境測定システム。
【請求項３】
請求項１又は請求項２に記載の環境測定システムにおいて、前記環境センサは、アスベスト濃度、放射線量、温度、湿度、気圧、輝度、風速、音圧の少なくとも何れか１つを測定することを特徴とする環境測定システム。
【発明の詳細な説明】
【技術分野】
【０００１】
本発明は環境測定システムに関し、特に、屋内の環境情報を測定する環境測定システムに関する。
【背景技術】
【０００２】
一般に、天気の状況や紫外線、花粉、アスベスト、放射性物質等の環境情報の収集のために、環境情報をモニタリングする環境センサを利用した測定システムが用いられている。これらの測定システムは、環境センサを定点観測のために各地に配置し、環境センサで測定された環境情報を定期的に回収し、環境情報の記憶及び解析を行うものである。従来、このような測定システムの環境センサで測定された環境情報の回収には、人員を割いて回収を行っていた。しかしながら、近年では、インターネット網や携帯電話網の発達により、環境情報を自動的に回収し、把握することが可能なシステムが開発されている。また、環境センサも、センサの小型化に伴い、持ち運びが容易なものが開発されている。環境センサを持ち運ぶことが可能となったため、任意の点で測定が可能となり、その結果、測定点の数が増加し、より詳細な環境情報の収集が可能となった。しかしながら、環境センサを移動させて環境情報の測定を行う場合には、どこで測定したのかが分からなければ、環境情報の解析等に意味をなさない場合が多い。そこで、環境センサにＧＰＳ機能を備え、環境情報と位置情報とを関連付けて記憶及び解析を行う測定システムが開発されている。
【０００３】
例えば特許文献１では、道路環境の環境分布図を作成するために、車両に環境センサとＧＰＳ受信機と送信機とを備え、本部側に車両の送信機から送信された情報を受信する受信機と、これらの情報に基づき環境分布図を表示する表示手段とを備えた道路環境観測システムが開示されている。
【０００４】
また、例えば特許文献２では、環境情報の収集のために、環境に関するデータを測定可能なセンサを内蔵し、測定されたデータを送信可能な携帯端末と、送信データを受信し、携帯端末の位置情報を記憶しマッピングする手段とを備えるセンサ情報ネットワークシステムが開示されている。この例では、携帯端末の位置情報は、携帯電話通信網の基地局から割り出す例と、携帯端末にＧＰＳを内蔵させてＧＰＳにより位置情報を取得する例が開示されている。
【先行技術文献】
【特許文献】
【０００５】
【特許文献１】特開平１１−３３１０６２号公報
【特許文献２】特開２００２−３５１９２７号公報
【発明の概要】
【発明が解決しようとする課題】
【０００６】
ここで、屋内の環境情報を正確に把握したいという要求もある。例えば、屋内の各部屋のアスベストの空気中の濃度や放射線量を測りたい場合である。
【０００７】
しかしながら、例えば特許文献１や特許文献２に記載のような環境計測システムにおける位置情報は、ＧＰＳを利用して位置情報を受信するものであるため、ＧＰＳ信号を受信できない屋内では、位置情報を利用できない。また、携帯電話通信網の基地局から割り出される位置情報は、屋内でもある程度利用可能であるが、位置精度が高くないため、正確な測定位置を特定することは難しいという問題もあった。
【０００８】
例えば、アスベスト空気中の濃度や放射線量については、各部屋で大きく異なる場合があるため、位置の特定は重要である。さらに、アスベストの飛散防止処理等を行ったビル等では、定期的にアスベストの濃度を測定する必要が生じるが、従来のシステムでは、このような場合に環境情報と共に測定位置を正確に把握することが困難であった。また、測定位置を変え故意に測定値を低く見せるといった偽装を防止する観点からも、測定位置を正確に把握する必要があった。
【０００９】
本発明は、斯かる実情に鑑み、屋内においても精度の高い位置情報を含む環境データが測定可能な環境測定システムを提供しようとするものである。
【課題を解決するための手段】
【００１０】
上述した本発明の目的を達成するために、本発明の屋内の環境情報を測定する環境測定システムは、屋内の位置を検出するための位置情報を発信する屋内位置情報発信部からの位置情報を受信する位置情報受信部と、位置情報受信部により受信される位置情報に基づく位置の周囲のエリアの環境情報を測定する環境センサと、位置情報受信部により受信される位置情報と、環境センサにより測定される環境情報とが関連付けられる環境データを生成する環境データ生成部と、を具備するものである。
【００１１】
さらに、本発明の環境測定システムは、屋内位置情報発信部近傍に配置され、屋内位置情報発信部から送信される位置情報よりも転送距離が短い無線信号を送信する短距離無線信号送信部と、環境センサ近傍に配置され、短距離無線信号送信部から送信される無線信号を受信する短距離無線信号受信部と、を具備し、短距離無線信号送信部及び短距離無線信号受信部は、位置情報受信部により受信される位置情報に基づく位置の周囲のエリアを、短距離無線信号の転送距離内に制限するように用いられても良い。
【００１２】
ここで、環境センサは、短距離無線信号送信部から送信される無線信号を短距離無線信号受信部が受信するのに応じて、環境情報を測定しても良い。
【００１３】
さらに、本発明の環境測定システムは、環境データ生成部により生成される環境データをネットワークに送信する環境データ送信部と、環境データ送信部により送信される環境データを、ネットワークを介して受信し記憶するデータ記憶部と、を具備しても良い。
【００１４】
また、環境センサは、アスベスト濃度、放射線量、温度、湿度、気圧、輝度、風速、音圧の少なくとも何れか１つを測定すれば良い。
【発明の効果】
【００１５】
本発明の環境測定システムには、屋内においても精度の高い位置情報を含む環境データが測定可能であるという利点がある。
【図面の簡単な説明】
【００１６】
【図１】図１は、本発明の環境測定システムを説明するための概略構成図である。
【図２】図２は、本発明の環境測定システムの環境データがネットワークを介して送信される例を説明するための概略構成図である。
【図３】図３は、本発明の環境測定システムが位置保証機能を有する例を説明するための概略構成図である。
【発明を実施するための形態】
【００１７】
以下、本発明を実施するための形態を図示例と共に説明する。図１は、本発明の環境測定システムを説明するための概略構成図である。図示の通り、本発明の環境測定システムは、位置情報受信部１０と、環境センサ２０と、環境データ生成部３０とから主に構成されるものである。環境測定システムは、主に屋内の環境情報を測定するために用いられるものであるが、勿論、屋外で使用されても良い。
【００１８】
位置情報受信部１０は、屋内位置情報発信部４０からの位置情報を受信するものである。屋内位置情報発信部４０は、屋内の位置を検出するための位置情報を発信するものである。位置情報としては、例えば緯度や経度以外に、高さ情報が含まれていても良い。また、緯度・経度等の情報ではなく、例えばマンション等であれば何号室のどこの部屋なのかといった具体的な情報であっても良い。即ち、位置情報は、環境情報が測定された位置を把握可能な情報であれば良い。位位置情報の受信システムとしては、例えば、ＩＭＥＳ（Ｉｎｄｏｏｒ  ＭＥｓｓｓａｇｉｎｇ  Ｓｙｓｔｅｍ）を用いることが可能である。ここで、ＩＭＥＳとは、屋内に設けられた発信器からＧＰＳ互換信号を発信するシステムであり、衛星からのＧＰＳ信号を受信できないような屋内であっても、位置情報を正確に把握できるものである。ＩＭＥＳを用いることで、屋内であっても位置情報が取得できるだけでなく、ＧＰＳ互換信号を用いるため汎用性が高いので、位置情報受信部１０は、独自規格の機器やソフトウェアを必要とせず、低コストで実現することが可能となる。また、ＧＰＳと基本的には同じ仕様でＩＭＥＳを使えるため、屋外と屋内でシームレスに位置計測が可能となる。なお、位置情報の送受信を行うシステムは、ＩＭＥＳに限定されるものではなく、屋内の位置情報を把握できるものであれば、例えば電子タグや赤外線ビーコン等であっても良い。また、屋内位置情報発信部４０は、本発明の環境測定システムのために屋内に設けられたものでなくても、汎用的に屋内の位置情報を発信するために設けられた一般的なものを利用しても良い。なお、図示例では屋内位置情報発信部４０は屋内の天井に設けられる例を示したが、本発明はこれに限定されず、発信された位置情報が受信しやすい位置に配置される位置であれば、他の場所に配置されていても良い。本発明の環境測定システムでは、このような屋内位置情報発信部４０からの位置情報を、位置情報受信部１０により受信することで、環境情報測定時の位置を把握可能としている。
【００１９】
環境センサ２０は、環境情報を測定するものである。環境情報とは、位置情報受信部１０により受信される位置情報に基づく位置の周囲のエリアの環境に関する情報を測定するものである。具体的には、環境情報とは、例えばアスベスト濃度や放射線量、温度や湿度、気圧、輝度、風速、音圧等、使用者が必要とする周囲の所定の範囲のエリアの環境に関する情報であれば良い。また、測定時刻等の環境に関する情報以外の付加情報も得られるものであっても良い。環境センサ２０は、このような情報を得られるように構成されたセンサであり、センサ部は各測定対象に合わせて複数設けられても良い。また、使用者が必要なセンサのみ搭載できるように、センサが選択可能なものであっても良い。
【００２０】
環境データ生成部３０は、環境データを生成するものである。環境データは、位置情報受信部１０により受信される位置情報と、環境センサ２０により測定される環境情報とが関連付けられているものである。環境データ生成部３０は、何処で測定されたデータなのかを把握するために、位置情報受信部１０の位置情報と環境センサ２０の環境情報とをそれぞれ受け取り、測定位置とそのときの測定データを紐付けた環境データを生成すれば良い。また、必要により測定時刻等の環境情報以外の付加情報を紐付けて環境データとしても良い。さらに、環境データ生成部３０は、生成された環境データを記憶する記憶装置を有していても良い。本発明の環境測定システムによれば、このように生成された環境データを、屋内環境の把握や分析、管理等に利用可能となる。
【００２１】
このように構成された本発明の環境測定システムを、例えばビルの一室のアスベスト濃度を測定するのに用いた場合を例に、その動作について説明する。まず、ビルの一室に入り、アスベスト濃度の測定を開始する。位置情報受信部１０は、ＩＭＥＳによる位置情報を受信し、屋内の位置を検出する。これにより、ビルの何階のどの部屋の中にいるのかが把握可能となる。そして、環境センサ２０は、その場の位置の周辺のエリアのアスベスト濃度を測定する。そして、環境データ生成部３０を用いて、位置情報と環境情報を関連付ける。これにより、測定位置とその周辺エリアの環境情報が紐付けられた環境データが得られる。
【００２２】
ここで、環境データについては、記憶装置に記憶しておいても良いが、次に説明するように、環境データがネットワークを介して送信されるように構成しても良い。図２は、本発明の環境測定システムの環境データがネットワークを介して送信される例を説明するための概略構成図である。図中、図１と同一の符号を付した部分は同一物を表しているため、詳説は省略する。図示の通り、この例では、環境データ送信部５０とデータ記憶部６０とが、図１に示される例から追加されている。
【００２３】
環境データ送信部５０は、環境データ生成部３０により生成された環境データをネットワークに送信するものである。ここで、ネットワークは、有線ネットワークでも無線ネットワークでも構わない。有線ネットワークとしては、例えばイーサネット（登録商標）通信を用いれば良い。無線ネットワークとしては、ＷｉＦｉや携帯電話網を用いることが可能である。本発明の環境測定システムにおいては、環境センサは例えば部屋内で用いられるものであり、部屋間を移動する場合等もあるため、無線ネットワークを用いるのが好ましい。また、送信する環境データには、装置の固有番号等を付加し、環境センサを有する装置が複数ある場合に、装置毎に環境データを整理して把握することも可能である。
【００２４】
データ記憶部６０は、環境データ送信部５０により送信されてきた環境データを、ネットワークを介して受信し記憶するものである。データ記憶部６０は、例えばネットワークに接続されたサーバ等であり、装置毎の環境データがサーバの記憶領域に蓄積されれば良い。また、複数の場所において所謂モニタリングポストとして置かれた環境センサに対しても適用可能となり、複数の場所の環境データをリアルタイムに一元管理することも可能となる。
【００２５】
次に、本発明の環境測定システムにおいて、より正確に位置保証が可能となる構成について説明する。図３は、本発明の環境測定システムが位置保証機能を有する例を説明するための概略構成図である。図中、図１や図２と同一の符号を付した部分は同一物を表しているため、詳説は省略する。なお、図３に示した例では、図２で説明した例と同様に、環境データをネットワークを介して送受信可能な構成を示したが、本発明はこれに限定されず、図１に示される例のように、環境データを送信しないものでも勿論適用可能である。図示の通り、この例では、短距離無線信号の送受信部として、ＲＦＩＤ送信部４１とＲＦＩＤ受信部２１とが、図１に示される例から追加されている。即ち、この例は、屋内位置情報の送受信部よりも転送距離の短いＲＦＩＤ（Ｒａｄｉｏ  Ｆｒｅｑｕｅｎｃｙ  ＩＤｅｎｔｉｆｉｃａｔｉｏｎ）を用いて、この信号をトリガとして測定を行うように構成されたものである。これにより、環境情報の測定エリアを、ＲＦＩＤ送信部４１近傍のエリアに限定しようとするものである。なお、以下の説明では、短距離無線信号の送受信システムとして、ＲＦＩＤを中心に説明するが、屋内位置情報発信部４０から送信される位置情報よりも転送距離が短いものであれば、ＲＦＩＤに限らず、Ｂｌｕｅｔｏｏｔｈ（登録商標）やＺｉｇＢｅｅ（登録商標）等、種々の方式を用いることが可能である。
【００２６】
ＲＦＩＤ送信部４１は、屋内位置情報発信部４０から送信される位置情報よりも転送距離が短い無線信号を送信するものである。即ち、ＲＦＩＤ送信部４１は、ＲＦＩＤ送信部４１近傍に位置していなければ受信できないような無線信号を送信するものである。したがって、ＲＦＩＤ送信部４１は、測定したい位置近傍に配置されていれば良い。図示例では天井の屋内位置情報発信部４０の近傍にＲＦＩＤ送信部４１を配置した例を示したが、測定したい位置が例えば部屋の角等であれば、その近傍に配置されれば良い。
【００２７】
ＲＦＩＤ受信部２１は、環境センサ２０の近傍に配置され、ＲＦＩＤ送信部４１から送信される無線信号を受信するものである。即ち、ＲＦＩＤ受信部２１とＲＦＩＤ送信部４１は、所定のＲＦＩＤ信号を送受信するためのものである。測定エリアを制限する意味では、ＲＦＩＤ受信部２１は、環境センサ２０の近傍に配置されることになる。
【００２８】
このようなＲＦＩＤ送信部４１及びＲＦＩＤ受信部２１が、位置情報受信部１０により受信される位置情報に基づく位置の周囲のエリアを、ＲＦＩＤの転送距離内に制限するように用いられる。即ち、環境センサ２０は、ＲＦＩＤ送信部４１から送信される無線信号をＲＦＩＤ受信部２１が受信するのに応じて、環境情報を測定するように構成される。これにより、ＲＦＩＤ送信部４１近傍のエリアでのみ環境情報を測定できることになる。即ち、ＲＦＩＤ送信部４１から離れた転送距離外のエリアでは、環境情報を測定できなくすることが可能となる。また、ＲＦＩＤの無線信号を測定開始のトリガとするのではなく、環境データ生成部や環境データ送信部のトリガとして用いても良い。このように、測定位置がＲＦＩＤの転送距離内に制限されるため、より正確に位置の保証が可能となる。また、測定エリアを狭く制限できるため、測定位置を変え故意に測定値を低く見せるといった偽装を防止することも可能となる。
【００２９】
本発明の環境測定システムは、上述のように屋内でも精度の高い位置情報を含む環境データが測定可能なため、例えばマンション等の不動産の価値評価等を行うにあたり、各部屋がアスベストや放射性物質に汚染されていないか否か等の環境情報を測定し、これにより安全性の確認を行うことも可能となる。また、上述のようにネットワーク経由で環境情報を得られるため、複数の場所の環境データもリアルタイムに把握可能となる。さらに、本発明の環境測定システムは、精度の高い位置情報に紐付けられた環境情報を得られるため、高詳細な３次元地図にマッピングすることも可能である。この場合、ビル等の建物であってもその階数だけでなく、部屋の位置も含めたマッピングが可能である。
【００３０】
なお、本発明の環境測定システムは、上述の図示例にのみ限定されるものではなく、本発明の要旨を逸脱しない範囲内において種々変更を加え得ることは勿論である。
【符号の説明】
【００３１】
１０    位置情報受信部
２０    環境センサ
２１    ＲＦＩＤ受信部
３０    環境データ生成部
４０    屋内位置情報発信部
４１    ＲＦＩＤ送信部
５０    環境データ送信部
６０    データ記憶部
【図１】
0005836106.tif 000002
【図２】
0005836106.tif 000003
【図３】
0005836106.tif 000004